(57)【要約】【課題】地震発生若しくは水道本管破裂による長期断水のような非常事態発生時においても、飲料水および／または消火用水を確保し、かつ円滑に供給し得る非常用貯水槽を提供する。【解決手段】水道管８路内に密閉状態に形成された圧力空気槽２を併設した圧力水槽１を水の流通が可能に介装し、前記圧力水槽１の上下流に緊急遮断弁９を設置し常時通水状態を形成すると共に、併設された圧力空気槽２から送気管６を介して圧力水槽１に接続送気可能とし、緊急時に前記緊急遮断弁９の作動時に送気管６の圧力調整弁を作動し、圧力空気槽２から圧力空気を圧力水槽１に送気することによって圧力水槽１内の水が圧力水となる。また圧力水槽１と並列に常時閉状態に形成されたバイパス用弁１１を介装したバイパス管１０を設ける。一方家屋の倒壊などにより資材の支持を必要とする時は圧力空気弁７から送気してエアジャッキなどを利用する。【選択図】図１
2010174591.tif 000002
【特許請求の範囲】
【請求項１】
水道管路内に密閉状態に形成された圧力空気槽を併設した圧力水槽を水の流通が可能に介装し、この圧力水槽の上下流側に常時開状態に形成された緊急遮断弁を設けると共に前記圧力水槽に圧力空気槽から送気管を常時閉状態に形成された圧力調整弁を介して接続し、前記緊急遮断弁の作動時に前記圧力調整弁を作動し、前記圧力空気槽からの圧力空気を圧力水槽に印加可能に構成することを特徴とする非常用貯水槽。
【請求項２】
前記圧力水槽と並列にバイパス管を設け、バイパス管のバイパス用弁を常時閉状態、緊急遮断弁を常時開状態に介装し、貯水の保持、水質の保護を満たしていることを特徴とする請求項１記載の非常用貯水槽。
【請求項３】
前記圧力空気槽が圧力水槽と一体に構成されているので、空気量、空気圧が充分保たれることから非常時の家屋倒壊発生時にエアジャキの使用が可能であり人命救助に役立つこととなることを特徴とする請求項１記載の非常用貯水槽。
【発明の詳細な説明】
【技術分野】
【０００１】
本発明は、非常事態時において、火災発生および水道施設の破損、家屋の倒壊などが発生した際に、初期消火、給水活動、人命救助を行うべき非常用貯水槽に関する。
【背景技術】
【０００２】
従来において例記すれば地震発生時又は長期断水時のような時に飲料水を供給する手段としては、自治体若しくは公共企業体などの保有する給水車両などがあり、また地震発生に伴う火災消火用としては、貯水池若しくは貯水槽がある。
近年においては、非常用貯水槽を地下埋設して飲料水および消化水として利用する事を計画されている。
【０００３】
本出願人が開発した、非常事態発生時においても、飲料水および／または消火用水を確保し、かつ円滑に供給し得る非常用貯水槽が公知となっている（特許文献１を参照）。
この公知技術は、地震発生のような緊急時若しくは非常時においては、緊急遮断弁が閉となると同時にバイパス弁が連動して開となり、貯水槽内の水の流通が遮断されると同時に、バイパス管路への水の流通可能となり、水道管路内における異常水圧上昇、すなわち水槌作用の発生を防止し、この状態において貯水槽内の水が確保され、給水ポンプの作動によって飲料水の供給が可能であり、また必要があれば消防車の出動により、消火栓から消火ポンプによる消火用水の供給をも可能となるのである。
しかしながら、上記公知技術に示すような構成のものにおいては、給水ポンプおよび／または消火栓の操作または消防車の到着を必要とし、例えば地震発生時のような非常事態のもとでは、飲料水および／または消火用水の供給を必ずしも円滑に行い得るとは限らないという問題点がある。
【先行技術文献】
【特許文献】
【０００４】
【特許文献１】特開平１０−１０１１８５号公報
【発明の概要】
【発明が解決しようとする課題】
【０００５】
本発明は、上記従来技術に存在する問題点を解決し、地震発生若しくは水道本管破裂による長期断水のような非常事態発生時においても、飲料水および／または消火用水を確保し、かつ円滑に供給し得る非常用貯水槽を提供することを目的とする。
【課題を解決するための手段】
【０００６】
上記課題を解決するために、本発明の非常用貯水槽においては、水道管路内に密閉状態に形成された圧力空気槽を併設した圧力水槽を水の流通が可能に介装し、この圧力水槽の上下流側に常時開状態に形成された緊急遮断弁を設けると共に前記圧力水槽に圧力空気槽から送気管を常時閉状態に形成された圧力調整弁を介して接続し、前記緊急遮断弁の作動時に前記圧力調整弁を作動し、前記圧力空気槽からの圧力空気を圧力水槽に印加可能に構成するという技術的手段を採用した。
【０００７】
本発明の非常用貯水槽において、圧力水槽と並列にバイパス管を設け、バイパス管のバイパス用弁を常時閉状態、緊急遮断弁を常時開状態に介装し、貯水の保持、水質の保護を満たすことができる。
このように構成することにより、圧力水槽のメンテナンス時においても、水道管路を断水することなく、通水状態のままメンテナンスを行い得る。
【発明の効果】
【０００８】
本発明の非常用貯水槽は、水道管路内に密閉状態に形成された圧力空気槽を併設した圧力水槽を水の流通が可能に介装し、この圧力水槽の上下流側に常時開状態に形成された緊急遮断弁を設けると共に前記圧力水槽に圧力空気槽から送気管を常時閉状態に形成された圧力調整弁を介して接続し、前記緊急遮断弁の作動時に前記圧力調整弁を作動し、前記圧力空気槽からの圧力空気を圧力水槽に印加可能に構成するから、地震発生又は長期断水のような非常事態発生時においても、余剰の手間を要することなく、用水の供給を円滑に行うことが可能であり効果を奏し得る。
【図面の簡単な説明】
【０００９】
【図１】本発明の非常用貯水槽の実施の形態を示す要部構成説明図である。
【発明を実施するための形態】
【００１０】
本発明の非常用貯水槽の一実施例を添付図面に基づいて、以下に説明する。
図１は、本発明の非常用貯水槽の実施の形態を示す要部構成説明図である。
図１において、１は圧力水槽であり、２は圧力空気槽であり、前記圧力水槽１と前記圧力空気槽２が一体となっている完全耐圧円筒状の密閉槽であり、両者は密閉槽内の鋼板の隔壁にて区分される。
３は給水栓（飲料水）であり、前記圧力水槽１内の水を飲料水として供給するためのものである。
また４は消火用水栓であり、前記圧力水槽１内の水を消火用水として供給するためのものである。
【００１１】
５は空気圧縮機であり、送気弁、送気管を経て前記圧力空気槽２に送気する。この空気圧縮機５の設置位置および電源については設置する規模、諸条件を考慮して、圧縮機形式、電源の種別、設置位置を検討して決定する。
６は送気管（圧力調整弁）であり、前記圧力水槽１と前記圧力空気槽２とを連通し、前記圧力空気槽２から前記圧力水槽１へ圧力空気を送気する。なお、前記送気管６に設置されている圧力調整弁によって必要圧力を設定する。
７は圧力空気弁であり、常時閉状態に形成され、前記圧力空気槽２の圧縮空気を逃がすためのものである。
【００１２】
８は水道管であり、前記圧力水槽１の上流側と下流側にそれぞれ配管される。
９は緊急遮断弁であり、常時開状態に形成され、前記圧力水槽１の上流側と下流側の水道管８にそれぞれ設けられる。
１０はバイパス管であり、前記圧力水槽１と並列に前記圧力水槽１をバイパスするように水道管８に接続されると共に、前記バイパス管路１０の途中には常時閉状態に形成されたバイパス用弁１１が介装されている。
なお、前記緊急遮断弁９と前記バイパス用弁１１とは連動して作動するように構成されている。
【００１３】
次に、本発明の非常用貯水槽の操作動作を添付図面に基づいて、以下に説明する。
平常時においては、水は水道管８内を常時開状態の上流側の緊急遮断弁９を経て圧力水槽１内を流通し、下流側の緊急遮断弁９を経て再び水道管８へ流通する。
この場合、バイパス用弁１１は常時閉状態に形成されているから、バイパス管１０には水は流通しない。
この時点で給水栓３、消火用水栓４、送気管６、圧力空気弁７の各弁は閉、空気圧縮機５は運転停止、圧力水槽１内は満水、圧力空気槽２内は圧力９．９ｋｇ／ｃｍ２を形成されている。
【００１４】
例えば、地震発生による非常時においては、自動的に次の動作を行う。
圧力水槽１の上流側と下流側の緊急遮断弁９が閉、バイパス管１０のバイパス用弁１１が開となると共に送気管６が開となり圧力水槽１に圧力空気が注気され、収容されている水は圧力水となる。必要使用時の条件が圧力水であるということから圧力水槽１の水に圧力を与えることが必要である。
なお、送気管６に設置されている圧力調整弁によって必要圧力を設定する。
次に、圧力水槽１内の圧力水を利用する場合は、給水栓３、消火用水栓４の各手動操作によって開閉し水の供給を行う。
又、地震時の家屋倒壊時にエアジャッキの利用が必要の時は圧力空気弁７に接合する。
【００１５】
非常事態が解消された後においては、水道管８の復旧を待って、前記圧力水槽１内の圧縮空気を排出し、圧力水槽１の上流側と下流側の緊急遮断弁９を開状態として圧力水槽１内に水を貯留し、同様に圧力空気槽２に空気圧縮機５により圧縮空気を充気し、次に備える。
【符号の説明】
【００１６】
１  圧力水槽
２  圧力空気槽
３  給水栓
４  消火用水栓
５  空気圧縮機
６  送気管
７  圧力空気弁
８  水道管
９  緊急遮断弁
１０  バイパス管
１１  バイパス用弁
【図１】
2010174591.tif 000003
【手続補正書】
【提出日】平成21年5月25日(2009.5.25)
【手続補正１】
【補正対象書類名】特許請求の範囲
【補正対象項目名】全文
【補正方法】変更
【補正の内容】
【特許請求の範囲】
【請求項１】
完全耐圧円筒状の密閉状態に形成された圧力水槽内に隔壁により区分して圧力空気槽を設け、前記圧力水槽を水道管路途中に水の流通が可能に介装し、前記圧力水槽の上流側及び下流側に常時開状態に形成された緊急遮断弁をそれぞれ設けると共に前記圧力水槽と圧力空気槽との間を常時閉状態に形成された送気管を介して連通し、前記緊急遮断弁の閉作動時に前記送気管を開作動し、前記圧力空気槽からの圧力空気を圧力水槽に印加可能にすることを特徴とする非常用貯水槽。
【請求項２】
前記圧力水槽と並列に圧力水槽を迂回するバイパス管を水道管路に設け、該バイパス管にバイパス用弁を設けて該バイパス用弁を常時閉状態に介装し、前記緊急遮断弁の閉作動時に前記バイパス用弁を開作動することを特徴とする請求項１記載の非常用貯水槽。
【請求項３】
前記圧力空気槽に圧縮空気を逃がす圧力空気弁を形成していることを特徴とする請求項１記載の非常用貯水槽。
【手続補正２】
【補正対象書類名】明細書
【補正対象項目名】０００６
【補正方法】変更
【補正の内容】
【０００６】
上記課題を解決するために、本発明の非常用貯水槽においては、完全耐圧円筒状の密閉状態に形成された圧力水槽内に隔壁により区分して圧力空気槽を設け、前記圧力水槽を水道管路途中に水の流通が可能に介装し、前記圧力水槽の上流側及び下流側に常時開状態に形成された緊急遮断弁をそれぞれ設けると共に前記圧力水槽と圧力空気槽との間を常時閉状態に形成された送気管を介して連通し、前記緊急遮断弁の閉作動時に前記送気管を開作動し、前記圧力空気槽からの圧力空気を圧力水槽に印加可能にするという技術的手段を採用した
【手続補正３】
【補正対象書類名】明細書
【補正対象項目名】０００７
【補正方法】変更
【補正の内容】
【０００７】
本発明の非常用貯水槽において、前記圧力水槽と並列に圧力水槽を迂回するバイパス管を水道管路に設け、該バイパス管にバイパス用弁を設けて該バイパス用弁を常時閉状態に介装し、前記緊急遮断弁の閉作動時に前記バイパス用弁を開作動することができ、貯水の保持、水質の保護を満たすことができる。
このような構成にすることにより、圧力水槽のメンテナンス時においても、水道管路を遮断することなく、通水状態のままメンテナンスを行い得る。
【手続補正４】
【補正対象書類名】明細書
【補正対象項目名】０００８
【補正方法】変更
【補正の内容】
【０００８】
本発明の非常用貯水槽は、完全耐圧円筒状の密閉状態に形成された圧力水槽内に隔壁により区分して圧力空気槽を設け、前記圧力水槽を水道管路途中に水の流通が可能に介装し、前記圧力水槽の上流側及び下流側に常時開状態に形成された緊急遮断弁をそれぞれ設けると共に前記圧力水槽と圧力空気槽との間を常時閉状態に形成された送気管を介して連通し、前記緊急遮断弁の閉作動時に前記送気管を開作動し、前記圧力空気槽からの圧力空気を圧力水槽に印加可能にするため、地震発生時においても圧力水槽と圧力空気槽とが一体となっているので破壊されないし、又は長期断水のような非常事態の発生時においても、余剰の手間を要することなく、用水の供給を円滑に行うことができる。
【手続補正書】
【提出日】平成21年7月7日(2009.7.7)
【手続補正１】
【補正対象書類名】明細書
【補正対象項目名】０００５
【補正方法】変更
【補正の内容】
【０００５】
本発明は、上記従来技術に存在する問題点を解決し、地震発生若しくは水道本管破裂による長期断水のような非常事態発生時においても、圧力水槽及び圧力空気槽が破壊されることなく、飲料水および／または消火用水を確保し、かつ円滑に供給し得る非常用貯水槽を提供することを目的とする。